(57)【要約】  ＬＥＤ電球は、基部あるいはカバー部における開口部と、対流冷却のための任意の強制流動要素とを含む。熱伝導性で光学的に透過性の材料を冷却目的で用いてもよく、この材料は任意でフィンを含んでいてもよい。ＬＥＤライトエンジンは、平面製造技術を用いて基板から製造され、実質的に堅固で直立した支持構造を形成するように成形されてもよい。機械的、電気的および熱的接続が、ＬＥＤライトエンジンとＬＥＤ電球との間で形成されてもよい。
2013533581.tif 000002
【特許請求の範囲】
【請求項１】
ＬＥＤ電球において使用するように構成された発光ダイオード（ＬＥＤ）ライトエンジンであって、
該ＬＥＤライトエンジンは、少なくとも１つの電気配線が表面に形成された基板に取り付けられた、少なくとも１つのＬＥＤを備え、
前記基板は、少なくとも１つの熱導管部であって、前記少なくとも１つのＬＥＤが該少なくとも１つの熱導管部と熱的導通されるように設定された、少なくとも１つの熱導管部を備え、
前記基板は、前記少なくとも１つのＬＥＤのための実質的に堅固で直立した支持構造を形成するように少なくとも１つの屈曲を含む、ＬＥＤライトエンジン。
【請求項２】
請求項１に記載のＬＥＤライトエンジンであって、
前記少なくとも１つの電気配線は、複数の電気配線を備える、ＬＥＤライトエンジン。
【請求項３】
請求項１に記載のＬＥＤライトエンジンであって、
前記少なくとも１つの熱導管部は、ヒートシンクを備える、あるいはヒートシンクと熱的導通の状態にある、ＬＥＤライトエンジン。
【請求項４】
請求項１に記載のＬＥＤライトエンジンであって、
前記基板に取り付けられた、あるいは前記基板内に画定された、あるいは前記基板上に画定された、ＬＥＤ駆動回路要素およびＬＥＤ制御回路要素のいずれかを更に備える、ＬＥＤライトエンジン。
【請求項５】
請求項１に記載のＬＥＤライトエンジンであって、
前記基板はメタルコアのプリント回路基板を備える、ＬＥＤライトエンジン。
【請求項６】
請求項１に記載のＬＥＤライトエンジンであって、
前記基板は、型打ちされた金属層と、少なくとも１つの電気絶縁層とを備える、ＬＥＤライトエンジン。
【請求項７】
請求項１に記載のＬＥＤライトエンジンであって、
前記少なくとも１つの熱導管部は、前記少なくとも１つのＬＥＤから電気的に絶縁されている、ＬＥＤライトエンジン。
【請求項８】
請求項１に記載のＬＥＤライトエンジンであって、
前記少なくとも１つのＬＥＤは、複数のＬＥＤを備え、
前記基板は、前記複数のＬＥＤを支持するように構成された、複数の、非同一平面上のＬＥＤ支持面を含む、ＬＥＤライトエンジン。
【請求項９】
請求項１に記載のＬＥＤライトエンジンであって、
前記基板は、ソケットあるいは固定器具の少なくとも１つの電気接点に係合し、前記少なくとも１つのＬＥＤに電流を供給するように構成された、少なくとも１つのエッジコネクタを備える、ＬＥＤライトエンジン。
【請求項１０】
請求項１〜９のいずれか１項に記載のＬＥＤライトエンジンを備えるＬＥＤ電球。
【請求項１１】
請求項１０に記載のＬＥＤ電球であって、
電気レセプタクルと結合して電流を受けるように構成された複数の電気接点を備える基端を含み、
該複数の電気接点は、前記ＬＥＤ電球に電流を供給するように構成されている、ＬＥＤ電球。
【請求項１２】
請求項１０に記載のＬＥＤ電球であって、
内部容積を画定するカバーを更に備え、
前記少なくとも１つのＬＥＤは、前記内部容積内に配置されている、ＬＥＤ電球。
【請求項１３】
請求項１０に記載のＬＥＤ電球であって、
前記カバーは、拡散器、レンズ、発光性材料のいずれかを備える、ＬＥＤ電球。
【請求項１４】
請求項１２に記載のＬＥＤ電球であって、
前記カバーは、空気あるいはその他の流体が前記内部容積と周囲環境との間を流通可能にする複数の開口部を備えている、ＬＥＤ電球。
【請求項１５】
請求項１２に記載のＬＥＤ電球であって、
前記カバーの少なくとも一部は、少なくとも約８０％の可視透過率スペクトルと、約２５°Ｃにおいて少なくとも２５Ｗ／（ｍ・°Ｋ）の熱伝導率とを有する材料を備え、
前記カバーは、前記少なくとも１つのＬＥＤと熱的導通の状態にある、ＬＥＤ電球。
【請求項１６】
請求項１０に記載のＬＥＤ電球を用いる方法であって、
前記少なくとも１つのＬＥＤを点灯させるために、前記少なくとも１つの電気配線に電流を供給することを備える、方法。
【請求項１７】
少なくとも１つの発光ダイオード（ＬＥＤ）のための少なくとも１つの電気配線を画定するために実質的に平面の基板をパターニングすることと、
少なくとも１つのＬＥＤを前記基板に取り付けることと、
前記基板に少なくとも１つの屈曲を画定して、前記少なくとも１つのＬＥＤのための少なくとも１つの実質的に堅固で直立した支持構造を形成するように、前記基板を成形することと
を備える、方法。
【請求項１８】
請求項１７に記載の方法であって、
前記少なくとも１つの電気配線は、前記少なくとも１つのＬＥＤのための、および前記少なくとも１つのＬＥＤに関連する少なくとも１つの電気回路要素のための、複数の電気配線を備える、方法。
【請求項１９】
請求項１８に記載の方法であって、
前記少なくとも１つの電気回路要素は、ＬＥＤ駆動回路要素およびＬＥＤ制御回路要素の少なくとも一方を備え、
前記方法は更に、
前記ＬＥＤ駆動回路要素およびＬＥＤ制御回路要素の少なくとも一方を前記基板に取り付けること、あるいは前記基板内に画定すること、あるいは前記基板上に画定することを備える、方法。
【請求項２０】
請求項１７に記載の方法であって、
前記基板は、メタルコアのプリント回路基板を備える、方法。
【請求項２１】
請求項１７に記載の方法であって、
前記基板は、ヒートシンク部を備え、
前記方法は更に、
前記少なくとも１つのＬＥＤを前記ヒートシンク部と熱的導通の状態になるよう前記基板に取り付けることを備える、方法。
【請求項２２】
請求項１７に記載の方法であって、
前記基板を成形することは、前記少なくとも１つのＬＥＤを前記基板に取り付けた後に行われる、方法。
【請求項２３】
請求項１７に記載の方法であって、
前記少なくとも１つのＬＥＤは、複数のＬＥＤを備え、
前記基板を成形することは、前記複数のＬＥＤを支持するように構成された、複数の、非同一平面上の、ＬＥＤ支持面を形成することを含む、方法。
【請求項２４】
請求項１７に記載の方法であって、
少なくとも部分的に可視波長を透過させるカバーを、前記実質的に堅固で直立した支持構造を覆うように設けることを更に備える、方法。
【請求項２５】
請求項１７に記載の方法であって、
ソケットあるいは固定器具の少なくとも１つの電気接点に係合し、前記少なくとも１つのＬＥＤに電流を供給するように構成された、少なくとも１つのエッジコネクタを前記基板上に形成することを更に備える、方法。
【請求項２６】
請求項１７に記載の方法であって、
前記少なくとも１つの配線は、複数のＬＥＤおよび複数の電気回路要素のための複数の電気配線を備え、
前記方法は更に、
前記基板を複数の部分に切断することと、
各部分内に少なくとも１つの屈曲を画定して、前記複数のＬＥＤのための複数の実質的に堅固で直立した支持構造を形成するように、前記複数の部分を成形することと
を備える、方法。
【請求項２７】
内部容積を画定するカバーであって、該カバーの少なくとも一部分は、少なくとも約８０％の可視透過率スペクトルと、約２５°Ｃにおいて少なくとも２５Ｗ／（ｍ・°Ｋ）の熱伝導率とを有する材料を備える、カバーと、
少なくとも１つのＬＥＤを支持する基板であって、該少なくとも１つのＬＥＤおよび該基板の少なくとも一部は前記内部容積内に配置されている、基板と
を備える、発光ダイオード（ＬＥＤ）電球。
【請求項２８】
請求項２７に記載のＬＥＤ電球であって、
前記材料は、約２５°Ｃにおいて少なくとも約１００Ｗ／（ｍ・°Ｋ）の熱伝導率を有する、ＬＥＤ電球。
【請求項２９】
請求項２７に記載のＬＥＤ電球であって、
前記カバーは、複数のフィンを備える、ＬＥＤ電球。
【請求項３０】
請求項２９に記載のＬＥＤ電球であって、
前記フィンは焼結によって形成される、ＬＥＤ電球。
【請求項３１】
請求項２７に記載のＬＥＤ電球であって、
前記カバーは、光拡散器、あるいは少なくとも１つのレンズとして機能する、ＬＥＤ電球。
【請求項３２】
請求項２７に記載のＬＥＤ電球であって、
前記カバーは、前記少なくとも１つのＬＥＤからの発光をダウンコンバートするように設けられた発光材料を有する、ＬＥＤ電球。
【請求項３３】
請求項２７に記載のＬＥＤ電球であって、
前記カバーの実質的に全体は、少なくとも約８０％の可視透過率スペクトルと、約２５°Ｃにおいて少なくとも２５Ｗ／（ｍ・°Ｋ）の熱伝導率とを有する前記材料を備える、ＬＥＤ電球。
【請求項３４】
請求項２７に記載のＬＥＤ電球であって、
前記カバーは、空気あるいはその他の流体が前記内部容積と周囲環境との間を流通可能にする少なくとも１つの開口部を備える、ＬＥＤ電球。
【請求項３５】
請求項３４に記載のＬＥＤ電球であって、
前記少なくとも１つの開口部を介して、前記少なくとも１つのＬＥＤが非遮断状態で見えてしまうことを防ぐように構成された少なくとも１つのバッフルを更に備える、ＬＥＤ電球。
【請求項３６】
請求項３５に記載のＬＥＤ電球であって、
前記少なくとも１つのバッフルは、前記内部容積内に配置されている、ＬＥＤ電球。
【請求項３７】
請求項２７に記載のＬＥＤ電球であって、
前記カバーは、
少なくとも約８０％の可視透過率スペクトルと、少なくとも２５Ｗ／（ｍ・°Ｋ）の熱伝導率とを有する前記材料を備える第１の部分と、
約８０％未満の可視透過率スペクトルと、２５Ｗ／（ｍ・°Ｋ）よりも大きい熱伝導率とを有する第２の部分と
を備え、
前記第１の部分および前記第２の部分は、該第１の部分と該第２の部分との間の伝導性熱伝達を促進するように構成されたインターフェースに沿って連結されている、ＬＥＤ電球。
【請求項３８】
請求項２７に記載のＬＥＤ電球であって、
前記少なくとも１つのＬＥＤは更に、該少なくとも１つのＬＥＤと熱的導通の状態に配置されるとともに、前記カバーと熱的導通の状態に配置された熱拡散器を備える、ＬＥＤ電球。
【請求項３９】
請求項２７に記載のＬＥＤ電球であって、
前記少なくとも１つのＬＥＤに電流を供給するように構成された、少なくとも１つの導電体と、
電気レセプタクルと結合して電流を受けるように構成された少なくとも１つの電気接点であって、前記少なくとも１つの導電体と電気接続の状態にある、少なくとも１つの電気接点と
を更に備える、ＬＥＤ電球。
【請求項４０】
発光ダイオード（ＬＥＤ）電球であって、
内部容積を画定するカバーであって、可視スペクトル内の少なくとも一部の光を伝達するように構成された材料を備える、カバーと、
前記内部容積内に配置された少なくとも１つのＬＥＤと、
該少なくとも１つのＬＥＤと電気接続の状態にある複数の伝導体を備える支持柱と、
該支持柱内あるいは該支持柱上に配置され、電気レセプタクルと係合して電流を受けるように構成された第１および第２の電気接点であって、前記複数の伝導体と電気接続の状態にある、第１および第２の電気接点とを備え、
前記支持柱の一部は、前記内部容積の外側に配置され、周囲環境にさらされている、ＬＥＤ電球。
【請求項４１】
請求項４０に記載のＬＥＤ電球であって、
前記内部容積内に基板を更に備え、
前記少なくとも１つのＬＥＤは、前記基板の上あるいは該基板の上方に配置され、
該基板は前記支持柱によって支持されている、ＬＥＤ電球。
【請求項４２】
請求項４０に記載のＬＥＤ電球であって、
前記少なくとも１つのＬＥＤは、複数のＬＥＤを備える、ＬＥＤ電球。
【請求項４３】
請求項４０に記載のＬＥＤ電球であって、
前記少なくとも１つのＬＥＤは、少なくとも１つのピーク波長を有する光を備え、
前記カバーは、前記少なくとも１つのＬＥＤからの光を受けると、それに応じて、前記少なくとも１つのピーク波長とは異なる少なくとも１つの他のピーク波長を有する光を放射するように構成された、少なくとも１つの発光材料を備える、ＬＥＤ電球。
【請求項４４】
請求項４０に記載のＬＥＤ電球であって、
前記支持柱の少なくとも一部は中空コアを有し、
前記支持柱は、前記内部容積内に配置されて流体の流路として設けられた、少なくとも１つの第１の開口部を画定し、
前記支持柱は、前記内部容積の外側に配置されて周囲環境にさらされた、少なくとも１つの第２の開口部を画定し、
前記少なくとも１つの第１の開口部および前記少なくとも１つの第２の開口部の各々は、前記中空コアと流体連結の状態にある、ＬＥＤ電球。
【請求項４５】
請求項４０に記載のＬＥＤ電球であって、
前記支持柱は、前記基板から前記周囲環境への熱の散逸を促進するように構成された、少なくとも１つの伝熱装置を備える、ＬＥＤ電球。
【請求項４６】
請求項４５に記載のＬＥＤ電球であって、
前記少なくとも１つの伝熱装置は、ファンを備える、ＬＥＤ電球。
【請求項４７】
請求項４５に記載のＬＥＤ電球であって、
前記少なくとも１つの伝熱装置は、ヒートパイプを備える、ＬＥＤ電球。
【請求項４８】
請求項４５に記載のＬＥＤ電球であって、
前記少なくとも１つの伝熱装置は、複数のフィンを備える、ＬＥＤ電球。
【請求項４９】
請求項４０に記載のＬＥＤ電球であって、
前記基板から遠位にある前記支持柱の端部に沿って配置されたキャップを更に備え、
該キャップは、第１および第２の伝導体を含む、ＬＥＤ電球。
【請求項５０】
請求項４０に記載のＬＥＤ電球であって、
前記支持柱の少なくとも外側部分は、電気絶縁材料を備える、ＬＥＤ電球。
【請求項５１】
請求項５０に記載のＬＥＤ電球であって、
前記支持柱は、導電性の内側部分を備え、
前記電気絶縁材料は、前記導電性の内側部分を覆うように設けられたコーティングあるいは被覆を備える、ＬＥＤ電球。
【請求項５２】
請求項４０に記載のＬＥＤ電球であって、
前記カバーの少なくとも一部は、少なくとも約８０％の可視透過率スペクトルと、約２５°Ｃにおいて少なくとも２５Ｗ／（ｍ・°Ｋ）の熱伝導率とを有する材料を備える、ＬＥＤ電球。
【請求項５３】
発光ダイオード（ＬＥＤ）電球であって、
内部容積を画定するカバーであって、可視スペクトル内の少なくとも一部の光を伝達するように構成された材料を備えるカバーと、
少なくとも１つのＬＥＤを支持する基板であって、該少なくとも１つのＬＥＤおよび該基板の少なくとも一部は、前記内部容積内に配置されている、基板と、
前記カバーに画定された少なくとも１つの開口部であって、該少なくとも１つの開口部は周囲環境と流体連結の状態にある、少なくとも１つの開口部と
を備える、ＬＥＤ電球。
【請求項５４】
請求項５３に記載のＬＥＤ電球であって、
前記少なくとも１つの開口部を介して、前記少なくとも１つのＬＥＤが非遮断状態で見えてしまうことを防ぐように設けられた、少なくとも１つのバッフルを更に備える、ＬＥＤ電球。
【請求項５５】
請求項５４に記載のＬＥＤ電球であって、
前記少なくとも１つのバッフルは、前記内部容積内に設けられている、ＬＥＤ電球。
【請求項５６】
請求項５３に記載のＬＥＤ電球であって、
前記カバーは、空気あるいはその他の流体が前記内部容積と周囲環境との間を流通可能にする複数の開口部を備える、ＬＥＤ電球。
【請求項５７】
請求項５３に記載のＬＥＤ電球であって、
（ａ）前記カバー、および（ｂ）前記カバーの外側に配置された前記電球の基部の少なくとも一方に画定された、少なくとも１つの追加的な開口部を更に備える、ＬＥＤ電球。
【請求項５８】
請求項５７に記載のＬＥＤ電球であって、
前記少なくとも１つの開口部と前記少なくとも１つの追加的な開口部とを介して空気あるいはその他の流体を流通させるように構成された、流体循環要素を更に備える、ＬＥＤ電球。
【請求項５９】
請求項５３に記載のＬＥＤ電球であって、
埃あるいはその他の粒子状物質が前記少なくとも１つの開口部を通ることを抑制するように構成された、フィルタ要素を更に備える、ＬＥＤ電球。
【請求項６０】
請求項５９に記載のＬＥＤ電球であって、
前記フィルタ要素の清掃あるいは交換が必要であることを示す状態を検出するように構成された、少なくとも１つのセンサを更に備える、ＬＥＤ電球。
【発明の詳細な説明】
【発明の詳細な説明】
【０００１】
［関連出願の記載］
本願は、２０１０年６月８日に出願された米国特許出願 第１２／７９６，５５５号の優先権を主張する。
［技術分野］
本発明は、１つあるいは複数の発光ダイオードを有する電球を含む、半導体照明装置に関する。
［背景］
発光ダイオード（ＬＥＤ) は、電気エネルギーを光に変換させる半導体装置であり、一般的に、反対にドープされた層の間に挟まれた１つ以上の半導体材料の活性層を含んでいる。バイアスがドープ層に印加されると、正孔および電子が１つあるいは複数の活性層へと注入されて、１つあるいは複数の活性層において再結合し、この装置から放射される光を発生する。レーザダイオードは、類似した原理に従って作動する半導体放射体である。
【０００２】
半導体光源は、有色（例えば、非白色）ＬＥＤ光あるいは白色（例えば、白色あるいは白色に近いと認識される）ＬＥＤ光を提供するべく用いられてもよい。白色半導体放射体は、白熱灯の代替品となり得るものとして研究が行われている。白色ＬＥＤランプの代表的な例には、少なくとも青色光の一部を吸収し、黄色光を再放射する蛍光体（通常はＹＡＧ：Ｃｅ）でコーティングされた（例えばＩｎＧａＮおよび／あるいはＧａＮで形成された）青色ＬＥＤチップのパッケージが含まれ、黄色および青色が組み合わされた放射は、その特徴が白色あるいはほぼ白色と認識される光を提供する。結合された黄色および青色の光が黄色あるいは緑色と認識される場合は、その光は「青色から黄色にシフトする」（“ＢＳＹ”）光あるいは「青色から緑色にシフトする」（“ＢＳＧ”）光と称され得る。半導体放射体あるいは発光材料（例えば蛍光体）から出力される赤色スペクトルを加えることが、白色光の温かみを増加させるために用いられてもよい。蛍光体ベースの白色ＬＥＤの代わりとして、赤色、青色、緑色を混合させて放射する半導体放射体および／あるいは蛍光体も白色あるいは白色に近い特徴を有するものして認識されてもよい。白色光を生成するためのその他の方法として、紫色あるいは紫外線ＬＥＤ光源を有する複数色の蛍光体あるいは色素を刺激する方法もある。半導体照明装置は、例えば、少なくとも１つの有機あるいは無機の発光ダイオードおよび／あるいはレーザを含んでいてもよい。
【０００３】
現代の照明機器の多くは、所望のレベルの明るさを供給するために高出力の半導体放射体を必要としている。高出力のＬＥＤからの放射は、多くの場合、拡散器を介して伝達され、より広範でより好ましい特性の光を作り出している。高出力のＬＥＤは、大きな電流を流すことができるため、散逸が必要なほどの相当な量の熱を発生する。一般的には、ヒートシンクなどの熱散逸要素が、高強度のＬＥＤと熱伝達の状態で設けられている。これはＬＥＤが過度に高い接合部温度で動作することを防ぎ、信頼性を高めるとともにＬＥＤの寿命を延ばすために必要であるからである。その手ごろなコスト、高い熱伝導率、耐食性、および製造の相対的な容易さから、通常は、アルミニウムがヒートシンクの材料として採用される。半導体照明装置のためのアルミニウムのヒートシンクは、通常、鋳造、押出し成形および／あるいは機械加工成形の技術によって、様々な形状に形成される。
【０００４】
光出力の特性を犠牲にすることなく、白熱灯電球の代わりとなることのできるＬＥＤ電球を提供することが望ましいと思われるが、様々な制限によって、ＬＥＤ電球の広い普及がこれまで妨げられてきた。ＬＥＤ電球の広い普及を制限してきた制限の１つには、製造コストが含まれる。その理由は、従来のＬＥＤ電球の多数の部分の組み立ては、一般的には、例えば機械的、電気的、および熱的（熱伝導）接続を形成するのに手作業による組み立てを必要とするからである。従来のＬＥＤに関連する他の制限には、光出力の方向が制限されているということが含まれる。すなわち、従来の高出力ＬＥＤ電球に関しては、ヒートシンクの少なくとも一部が電球の基部と球状（あるいはカバー）部との間に配置されており、球体あるいはカバーは、通常、ＬＥＤを保護し、そこから放射される光を拡散させる役割を果たす。残念なことに、ＬＥＤによって発せられる量の熱を散逸させるのに十分なサイズのヒートシンクは、電球の基部近くの光の出力を遮断してしまう傾向にある。このような電球を上方に向けてテーブルランプに配置した場合、電球の下方の領域において光の出力の明度が低くなって影ができてしまい、多くのユーザに不快感を与えてしまう。
【０００５】
ＬＥＤ電球を製造するための手作業による組み立て工程を低減あるいは排除して、コストを低減することが望ましいと思われる。また、ＬＥＤ電球における熱の散逸を向上させ、かさばる外部のヒートシンクの必要性を低減し、ＬＥＤ電球の基部付近での出力を向上させることを含め、光の出力を広範囲の方向に提供することが望ましいと思われる。また、ＬＥＤ接合部温度を低くすることを促進し、ＬＥＤの寿命を延ばすことが望ましいと思われる。
［概要］
本発明は、既知のＬＥＤ電球に関連する様々な制限に対処する、改善されたＬＥＤ電球に関する。
【０００６】
１つの局面において、本発明は、ＬＥＤ電球における使用に適した発光ダイオード（ＬＥＤ）ライトエンジンであって、ＬＥＤライトエンジンは、少なくとも１つの電気配線が表面に形成された基板に取り付けられた少なくとも１つのＬＥＤを備え、基板は、少なくとも１つの熱導管部であって、少なくとも１つのＬＥＤが熱的導通されるように配置された、少なくとも１つの熱導管部を備え、基板は、少なくとも１つのＬＥＤのための実質的に堅固で直立した支持構造を形成するように、少なくとも１つの屈曲を当該基板内に含むＬＥＤライトエンジンに関する。関連する局面は、前述のライトエンジンを備えるＬＥＤ電球に関する。
【０００７】
他の局面において、本発明は、実質的に平面状の基板をパターニングし、少なくとも１つの発光ダイオード（ＬＥＤ）のための少なくとも１つの電気配線を画定することと、少なくとも１つのＬＥＤを基板に取り付けることと、基板に少なくとも１つの屈曲を画定し、少なくとも１つのＬＥＤのための少なくとも１つの実質的に堅固で直立した支持構造を形成するように基板を成形する工程とを備える方法に関する。このような方法は、１つあるいは複数のＬＥＤライトエンジン、および関連するＬＥＤ電球の製造において用いられてもよい。
【０００８】
本発明の更なる局面は、内部容積を画定するカバーであって、該カバーの少なくとも一部分は、少なくとも約８０％の可視透過率スペクトルと、約２５°Ｃにおいて少なくとも２５Ｗ／（ｍ・°Ｋ）の熱伝導率とを有する材料を備えるカバーと、少なくとも１つのＬＥＤを支持する基板であって、該少なくとも１つのＬＥＤおよび該基板の少なくとも一部は内部容積内に配置されている基板とを備える発光ダイオード（ＬＥＤ）電球に関する。
【０００９】
更なる局面において、本発明は、内部容積を画定するカバーであって、可視スペクトル内の少なくとも一部の光を伝達するように構成された材料を備えるカバーと、内部容積内に配置された少なくとも１つのＬＥＤと、少なくとも１つのＬＥＤと電気接続の状態にある複数の伝導体を備える支持柱と、支持柱内あるいは支持柱上に配置され、電気レセプタクルと係合し電流を受けるように構成された第１および第２の電気接点であって、複数の伝導体と電気接続の状態にある第１および第２の電気接点とを備え、支持柱の一部は、内部容積の外側に配置され、周囲環境にさらされている発光ダイオード（ＬＥＤ）電球に関する。
【００１０】
本発明の更なる局面は、内部容積を画定するカバーであって、可視スペクトル内の少なくとも一部の光を伝達するように構成された材料を備えるカバーと、少なくとも１つのＬＥＤを支持する基板であって、該少なくとも１つのＬＥＤおよび該基板の少なくとも一部は、内部容積内に配置されている基板と、カバーに画定された少なくとも１つの開口部であって、該少なくとも１つの開口部は周囲環境と流体連結の状態にある少なくとも１つの開口部とを備える発光ダイオード（ＬＥＤ）電球に関する。
【００１１】
他の局面において、前述の局面および／あるいはその他の特徴および本願に開示される実施形態のいずれかを組み合わせて、付加的な利点としてもよい。
本発明の他の局面、特徴および実施形態は、後に続く開示および添付の請求項から、より十分に明らかになるであろう。
【図面の簡単な説明】
【００１２】
【図１】周囲環境と、カバーによって画定された電球の内部容積との間が流体連結の状態となるように通気孔が設けられた支持柱を含む、本発明の１つの実施形態に係るＬＥＤ電球であって、支持柱は一体化されたネジ切りされた基部を含むＬＥＤ電球の概略的な側面図である。
【図２】支持柱には通気孔が設けられ、ねじ切りされた基部が支持柱に取り付けられている、他の実施形態に係るＬＥＤ電球の柱部分の概略的な側面図である。
【図３】支持柱には通気孔が設けられ、電球の内部容積を囲繞するカバーにも複数のポートが画定されている、他の実施形態に係るＬＥＤ電球の概略的な側面図である。
【図４Ａ】支持柱内にヒートパイプを含み、好ましくは取り外し可能で電球の強制的な対流冷却を促進すべく支持柱と係合するように配置されたファン部を含む、他の実施形態に係るＬＥＤ電球の概略的な断面組立図である。
【図４Ｂ】図４ＡのＬＥＤ電球の組み立てられた状態の概略的な断面図である。
【図４Ｃ】図４Ａ〜４Ｂに示された電球と類似したＬＥＤ電球に用いるべく、ファン部の代わりとして設けられた、ヒートシンクの概略的な側面図である。
【図５】電球の支持柱と一体化された冷却ファンとヒートパイプとを含む、他の実施形態に係るＬＥＤ電球の概略的な断面図である。
【図６】電球の冷却を促進すべく設けられた複合材カバーを含む、他の実施形態に係るＬＥＤ電球の概略的な側面図である。
【図７】光学的に透過性で熱伝導性のカバー部と、カバー部に熱を伝導すべく設けられた内部熱拡散器とを含む、他の実施形態に係るＬＥＤ電球の概略的な側面図である。
【図８】光学的に透過性で熱伝導性のカバー部であって、複数のフィンを画定しているカバー部を含む、他の実施形態に係るＬＥＤ電球の概略的な側面図である。
【図９】電球の内部容積を画定するカバーを含み、該カバーは、周囲環境と電球の内部容積との間で流体連結が可能となるようにポートあるいは開口部を含み、該ポートあるいは開口部に隣接してバッフルが設けられた、他の実施形態に係るＬＥＤ電球の概略的な断面図である。
【図１０Ａ】複数のＬＥＤに機械的な支持、電気接続、熱伝導を供給するべく平面状の基板から形成されたＬＥＤライトエンジン部を含み、基板は様々な平面加工工程に従って屈曲され、ライトエンジンを形成する、他の実施形態に係るＬＥＤ電球の概略的な断面図である。
【図１０Ｂ】図１０ＡのＬＥＤ電球内に含まれたＬＥＤライトエンジンの概略的な正面図である。
【図１１Ａ】ソケットあるいは固定器具の電気接点と結合し、本願に開示されているようにＬＥＤ電球に電流を供給するべく設けられた、本発明の他の実施形態に係る、第１および第２エッジコネクタを含む基板の一部分の概略的な斜視図である。
【図１１Ｂ】図１１Ａの基板部分の概略的な斜視断面図であり、基板部分はＬＥＤ電球のハウジング内に配置され、開口部を含み、第１及び第２エッジコネクタが、開口部を貫いて、電気接点のソケットあるいは固定器具と結合して、本願に開示されているようにＬＥＤ電球に電流を供給すべく延在し得る、斜視断面図である。
【図１２Ａ】機械的支持、電気接続、および熱伝導を複数のＬＥＤに提供するための平面状基板を含み、ＬＥＤがいくつかの側面に設けられた状態で、箱形の形状に屈曲されるように構成された、他の実施形態に係るＬＥＤライトエンジンの概略的な正面図である。
【図１２Ｂ】基板の屈曲に従って箱形の形状に形成された、図１２ＡのＬＥＤライトエンジンの簡略化された概略的な斜視図である。
【図１３】図１２Ａ〜１２Ｂに示されたＬＥＤライトエンジンと類似し、電球の基部の長さの一部を占めるＬＥＤライトエンジンを含む、他の実施形態に係るＬＥＤ電球の概略的な断面図である。
【図１４】実質的に電球の基部の全長を占めるＬＥＤライトエンジンを含む、他の実施形態に係るＬＥＤ電球の概略的な側断面図である。
【発明を実施するための形態】
【００１３】
［詳細な説明］
本発明は、本発明の実施形態が示された添付の図面を参照しながら、以下により完全に説明される。ただし、本発明は様々な形態で実施されてもよく、本願に記載された特定の実施形態に限定して解釈されるべきではない。むしろ、これらの実施形態は、本発明の範囲を当業者に伝えるために提供されている。図面において、サイズおよび層と領域との相対的なサイズは、明確さのために誇張されていることがある。
【００１４】
別段の定義がない限り、本願で使用されている用語（技術用語および科学用語を含む）は、本発明が属する分野において通常の技術を有するものによって一般的に理解される意味と同一の意味を有するものとして解釈されるべきである。更に、本願で用いられる用語は、これらの用語の意味が本明細書の文脈と関連技術とにおいて一致した意味を有するものとして解釈されるべきであり、本願で明確に定義されていない限り、理想化された意味あるいは過度に形式的な意味で解釈されるべきではない。
【００１５】
１つあるいは複数の要素が欠如していることが明確に示されていない限り、本願で用いられる「備える」、「含む」、および「有する」といった用語は、１つあるいは複数の要素の存在を除外しないオープンエンド型の用語として解釈されるべきである。
【００１６】
本願で用いられているように、「半導体発光体」あるいは「半導体発光装置」といった用語は、発光ダイオード、レーザダイオードおよび／あるいは、１つあるいは複数の半導体層を含むその他の半導体装置を含んでいてもよい。半導体発光体に動作電流および電圧を印加すると、半導体発光体は定常状態の熱負荷を生成する。このような定常状態の熱負荷および動作電流および電圧は、半導体放射体を、放射出力を最大化させるレベルにおいて適度に長い寿命（好ましくは少なくとも 約５，０００時間、より好ましくは少なくとも 約１０，０００時間、更により好ましくは少なくとも約２０，０００時間）で作動させることに相当すると理解される。
【００１７】
半導体発光体は、個々に、あるいは任意で１つあるいは複数の発光性の材料（例えば、蛍光体、シンチレータ、発光インク）および／あるいはフィルタと組み合わせて用いられ、所望の知覚色の光（白色として知覚され得る色の組み合わせを含む）を生成してもよい。ＬＥＤ装置において発光性（ｌｕｍｉｎｅｓｃｅｎｔ）の材料（「ｌｕｍｉｐｈｏｒｉｃ」とも呼ばれる）を含ませるということは、このような材料をカプセルの材料に加えたり、このような材料をレンズに加えたり、あるいはＬＥＤ上に直接コーティングすることによって達成され得る。その他の材料、例えば分散剤および／あるいは屈折率整合材をこのようなカプセルの材料に含ませてもよい。
【００１８】
本発明は、様々な局面において、向上した熱的特性、低減された製造の複雑さおよびコスト、および向上した性能、の少なくとも１つを提供するＬＥＤ電球に関する。
１つの実施形態において、ＬＥＤ電球は、支持柱を含み、この支持柱は少なくとも部分的に透過性のカバー（「球体」とも呼ばれる）内に設けられた部分と、このカバーから延出して周囲環境にさらされる部分とを有する。このような支持柱は、構造的、電気的、および／あるいは熱伝達的機能を提供してもよい。１つの実施形態において、このような支持柱は、この支持柱の周囲に配置された別個の（例えば成形された）ボディを有していなくてもよい。
【００１９】
ある実施形態に係るＬＥＤ電球のカバーは、例えば重合体材料および／あるいはガラスなど（ただし、これらに限定されない）の適度に透過性を有する材料で形成されていてもよい。この文脈における透過性の材料とは、可視スペクトル内の光の少なくとも一部を透過させるように構成された材料を指す。ＬＥＤ電球のカバーは、１つあるいは複数の半導体放射体によって放射された光を拡散するように構成された、拡散器を備えていてもよい。このようなカバーは、１つあるいは複数のレンズを含み、焦点調整、方向指示、あるいは光成形効用を提供してもよい。代替的にあるいは追加的に、カバーは１つあるいは複数の発光体（例えば蛍光体）を含み、１つあるいは複数の発光体は、１つあるいは複数のＬＥＤによって放射された光と相互作用するように（すなわち、ＬＥＤによって放射される１つのピーク波長の光を受け、それに応じて、このＬＥＤが放射するピーク波長とは異なる少なくとも１つの他のピーク波長を有する光を放射するように）構成されていてもよい。様々な効用、例えば拡散、集光および／あるいはポインティング、および光変換などは、カバーと接触している、あるいはカバーから空間的に隔離された層あるいは構造によって提供されてもよい。
【００２０】
ＬＥＤ電球カバーは、その特性が対称的あるいは意図的に非対称的になっていてもよい。本願で説明されるヒートシンクを含む半導体照明装置に関連するカバーは、平面状、球状、半球状などを含む、いかなる適切なサイズあるいは形状であってもよい。このようなカバーの少なくとも一部分は形状が球体に似ていてもよい。
【００２１】
本願で用いられる「支持柱」という用語は、ＬＥＤ電球の基端とＬＥＤ放射体との間の方向に延出し、１つあるいは複数の放射体を直接的あるいは間接的に支持する要素を機能的な意味で意図している。この文脈における直接的な支持とは、ＬＥＤを支持柱上にあるいは支持柱の上方に形成された面に取り付けることを考慮しており、間接的な支持とは、支持柱とＬＥＤとの間に１つあるいは複数の構造要素が設けられていることを考慮している。支持柱は、いかなる特定の形状あるいは構造に厳密に限定されない。１つの実施形態において、支持柱は、いかなる所望の断面形状を有する管状の要素として設けられており、任意で少なくとも１つの中空部分を含んでいる。他の実施形態において、支持柱は、中空の内部を有していなくてもよく、平面部分あるいは実質的に平面な部分を含んでいてもよい。
【００２２】
ＬＥＤ電球のカバーを貫いて延出する支持柱は、１つあるいは複数の半導体放射体のための構造的支持を提供してもよく、１つあるいは複数の半導体放射体との電気接続を可能にするべく、および／あるいは熱伝達、および／あるいは熱拡散の効用を提供するべく、関連する導電体を有していてもよい。このような支持柱は、動作要素（例えば導体、制御および／あるいは回路要素、熱伝達要素、センサ等）を収納するべく、および／あるいは空気などの冷却流体を流通可能にするべく設けられた１つあるいは複数の管、凹部、あるいは空洞（開いている形態でも閉じている形態でも）を含んでいてもよい。ＬＥＤ電球の支持柱内に形成された管、凹部、あるいは空洞は、例えば同心状、隣接状態、交差状態、および非交差状態など、（互いに流体連結しているか否かに関わらず）どのような適切な構造で設けられてもよい。
【００２３】
１つの実施形態において、ＬＥＤ電球の第１および第２の電気接点が支持柱内あるいは支持柱上に設けられ、電気レセプタクルと結合して電流を受けるように構成されている。これら電気接点は、導電体が支持柱内あるいは支持柱上に設けられることによって、少なくとも１つのＬＥＤと電気接続の状態にある。１つの実施形態において、少なくとも１つのＬＥＤ駆動回路要素および／あるいはＬＥＤ制御回路要素が、ＬＥＤ電球の支持柱内あるいは支持柱上に設けられている。このような回路は、駆動回路、安定器回路、調光器回路、電圧制御回路、電流制御回路、色調制御回路、静電放電要素、センサおよび／あるいは感覚フィードバック回路、温度保護回路などを含んでいてもよいが、これらに限定されない。１つの実施形態において、この支持柱は、導電材料（例えば金属）を備えており、電気的絶縁材料がその少なくとも一部の中あるいは上に配置されている。このような絶縁材料は、この支持柱の少なくとも一部を覆うコーティングあるいは被覆として形成されてもよい。１つの実施形態において、支持柱は、電気的絶縁材料を備え、少なくとも１つの導電材料が当該支持柱内あるいは当該支持柱上に配置されている。好ましい実施形態において、支持柱の外部からアクセス可能な表面は、ユーザがこのような柱に接触することによって起こる電気ショックを防止するべく、電気的絶縁材料を備える。１つの実施形態において、支持柱は、エジソンタイプのねじ込み式電球コネクタの側部接点および端部接点を画定する。他の実施形態において、エジソンタイプのねじ込み式電球コネクタの１つあるいは複数の接点は、（例えばキャップの形状に）あらかじめ作製されて、機械的な係合によって支持柱に嵌合される。本願に開示される様々な実施形態にはエジソンタイプのねじ込み式コネクタが含まれているが、ＬＥＤ電球は、当該技術分野において既知のあるいは開発されたどのような適切なタイプの電気コネクタと共に形成され得ることは、理解されるべきである。
【００２４】
１つの実施形態において、支持柱は、ＬＥＤを受け入れるように構成された１つあるいは複数のＬＥＤ取付面を備える。複数のＬＥＤ取付面が設けられている場合、このような構成は、異なるＬＥＤからの光を異なる方向に放射可能にするべく、互いに対して非同一平面であってもよい。様々な実施形態において、ＬＥＤ取付面は、平面であっても、隆起していても、凹設されていてもよい。また、ＬＥＤ取付面は、少なくとも１つのＬＥＤによって発せられた熱を拡散および／あるいは散逸するように構成された、関連する少なくとも１つの熱拡散器および／あるいはヒートシンクを有していてもよい。ＬＥＤ取付面に関連する熱拡散器および／あるいはヒートシンクは、電気的に活性であってもなくてもよい。熱的接触は、熱伝導性のペーストあるいは他の適切な熱伝導増強媒体を使用することによって高められてもよい。取付面とＬＥＤとの間の電気接続は、はんだ付けによる表面接続および／あるいはワイヤボンディングによって形成されてもよい。１つの実施形態において、１つあるいは複数のＬＥＤ取付面は、ＬＥＤ電球の支持柱内あるいは支持柱上に一体的に形成されている。他の実施形態において、１つあるいは複数のＬＥＤ取付面は、支持柱の少なくとも一部に連結するように構成された既製要素の上に形成されている。
【００２５】
ある実施形態において、支持柱は、カバーによって画定された内部容積と流体連結された状態にある、少なくとも１つの開口部あるいはポートを含み、周囲環境との流体連結を可能にしている。１つあるいは複数の開口部あるいはポートを介する空気あるいはその他の流体の動きは、自然対流によって起こっても、ＬＥＤ電球内あるいはＬＥＤ電球上に設けられた１つあるいは複数の流体循環要素（例えばファン、送風機、流体ポンプ、イオンを含む空気の動きを促進するための帯電要素等）によって引き起こされても、あるいは外部の流体源によって供給される圧力によって駆動されてもよい。
【００２６】
ある実施形態において、様々なタイプの熱伝導要素がＬＥＤ電球の支持柱に付随してもよい。支持柱は、当該支持柱に関連する、ヒートパイプ、内部ファンあるいは送風機、および外部ファンあるいは送風機、伝熱冷却器、熱伝導性の熱拡散器、および（例えば複数のフィンを含む）熱伝導性のヒートシンクのうちの少なくとも１つを含んでもよいし、有してもよい。異なるタイプの複数の熱伝導要素が１つのＬＥＤ電球内で組み合わされてもよい。１つの実施形態において、ＬＥＤ電球は、熱伝導要素あるいはその他のコンポーネントの交換あるいは修理をする際に、これらを壊すことなく除去するように構成された、１つあるいは複数の部分を含んでいてもよい。
【００２７】
ある実施形態において、ＬＥＤ電球のカバー部は、その中に少なくとも１つのＬＥＤが収納される内部容積を画定し、このカバー部は、周囲環境と流体連結の状態にある少なくとも１つの開口部あるいはポートを画定している。少なくとも１つの追加的なポートが、ＬＥＤ電球のカバーおよび／あるいは基部（例えば柱）内に画定され、複数の開口部あるいはポートを介して空気あるいはその他の流体が循環できるようになり、ＬＥＤ電球の少なくとも特定の部分の対流冷却を可能にしてもよい。第１の開口部あるいはポートは、カバー内に画定されてもよく、第２の開口部あるいはポートは、支持柱内に画定されてもよく、第１および第２の開口部あるいはポートの間に延在する経路を支持柱内に画定して、支持柱を介してその間に流体連結をもたらしてもよい。１つの実施形態において、カバーは、複数の部分を備えて、そのような部分の間にポートあるいは開口部が画定されていてもよい。
【００２８】
１つの実施形態では、少なくとも１つの開口部を画定するＬＥＤ電球カバーを含み、少なくとも１つのバッフルが備えられ、少なくとも１つのＬＥＤが非遮断状態で見えてしまうことを防ぐように構成されている。このようなバッフルは、可視範囲における少なくとも１つの波長を少なくとも部分的に透過することが好ましく、カバーの材料と実質的に同じ材料で、あるいはカバーの材料とは異なる材料で形成されてもよい。複数の開口部および複数のバッフルが設けられてもよい。バッフルは、カバーによって画定される内部容積内に設けられても、あるいはカバーの外側に設けられてもよい。バッフルは、カバーと一体的に形成されてもよいし、あるいは別体で形成されてもよいし、製造工程に従ってカバーに取り付けられてもよい。１つあるいは複数の間隔要素をバッフルとカバーとの間に設け、バッフルをカバーから確実に離して配置してもよい。１つの実施形態において、バッフルは、少なくとも１つのＬＥＤを覆うように設けられた（中に複数の穴を含む）補助的なカバー要素を備えており、このカバーは、このようなバッフルを覆うように設けられた主要カバー要素を備えている。
【００２９】
１つの実施形態において、ＬＥＤ電球のカバー内に画定された開口部は、カバーによって画定された内部容積内に埃あるいはその他の粒子物質が入るのを抑制するように構成された、関連するフィルタ要素を有する。このようなフィルタ要素は（カバーの外面に沿って配置され、および／およびカバーあるいはその他の電球の部分と連携するように構成された、１つあるいは複数のクリップ、スナップ留め具、マグネット、ワイヤあるいはその他の保持要素を用いて機械的に保持されてもよい）、その特徴から取り外し可能であって、フィルタ要素を定期的に清掃あるいは交換可能であってもよい。１つの実施形態において、１つあるいは複数のセンサ（例えば光学センサ、熱センサ、圧力センサ、差圧センサ、作動時間センサ、および／あるいは気流センサ等）がフィルタの清掃あるいは交換が必要であることを示す状態を検出するように構成されてもよく、またＬＥＤ電球がそのような状態をユーザに知らせるようにしてもよい。そのような警告は、可聴的あるいは可視的なアラーム、ＬＥＤ電球の作動状態のいかなる変化、あるいはユーザが感知可能なその他の相互作用の形態であってもよい。１つの実施形態において、フィルタ要素は、ＬＥＤ電球の少なくとも一部と通信を行うように構成された認証要素を含んでいる。そのような認証要素は、無線自動識別タグ、マイクロチップ、ＥＥＰＲＯＭ、あるいは対応するＬＥＤ電球の呼出しあるいは読取り要素によって受信される信号を出力するのに適したその他の情報含有媒体を含んでいてもよい。認証要素は、任意でチャレンジ／レスポンス認証方式を行ってもよい。認証要素を用いることによって、ＬＥＤ電球のメーカーは、保証期間を最小限にするためなどに、当該ＬＥＤ電球にはこのメーカーが承認したフィルタのみが使用可能であるということを確実にしてもよい。
【００３０】
１つの実施形態において、ＬＥＤ電球は、光透過率および熱散逸効果の双方を提供するように構成されたカバーを含んでいた。典型的なＬＥＤ電球は、従来のガラスのあるいはポリマーのカバー（例えば拡散器および／あるいはレンズ）を含み、そのようなカバーは、通常、断熱材を構成している。このような材料の脱色および／あるいは変形を防ぐように、従来のポリマーのカバーの加熱を避けてもよい。向上した熱散逸効用を提供するべく、本発明に係るある実施形態においては、ＬＥＤ電球のカバーの少なくとも一部分は、適度に高い可視透過率スペクトル（例えば、可視範囲における少なくとも１つの波長の少なくとも約８０％、より好ましくは少なくとも約８５％、より好ましくは少なくとも約９０％、より好ましくは少なくとも約９５％、より好ましくは少なくとも約９７％）と、高い熱伝導率（すなわち、熱伝導率は温度に依存するため、約２５°Ｃ、すなわち２９８°Ｋの温度において）とを共に有する材料を備えていてもよい。そのような高い熱伝導率は、少なくとも約２５Ｗ／（ｍ・°Ｋ）、より好ましくは少なくとも約５０Ｗ／（ｍ・°Ｋ）、より好ましくは少なくとも約７５Ｗ／（ｍ・°Ｋ）、より好ましくは少なくとも約１００Ｗ／（ｍ・°Ｋ）、より好ましくは少なくとも約１５０Ｗ／（ｍ・°Ｋ）、およびより好ましくは少なくとも約２００Ｗ／（ｍ・°Ｋ）であってもよく、前述の最小値が約２１０Ｗ／（ｍ・°Ｋ）までの熱伝導率の上限閾値に任意的に制限された範囲を含んでいてもよい。（ａ）１つあるいは複数の前述の範囲内の可視透過率スペクトルと、（ｂ）１つあるいは複数の前述の範囲内の高い熱伝導率との双方を示す材料の例には、焼結炭化ケイ素、結晶性炭化ケイ素、および高い熱伝導率を有する（例えばインジウムスズ酸化物を備える）ガラスが含まれるが、これらに限定されない。
【００３１】
１つの実施形態において、ＬＥＤ電球の熱伝導性のカバーは、複数のフィンを備える。このようなフィンは、例えば焼結（粉末の前駆体材料を、多くの場合、追加的なバインダ材料と共に加熱する）および／あるいは機械加工によって形成されてもよい。１つの実施形態において、ＬＥＤ電球の熱伝導性のカバーは、光学拡散器あるいは少なくとも１つのレンズとして機能する。１つの実施形態において、ＬＥＤ電球の熱伝導性のカバーは、少なくとも１つのＬＥＤからの放射をダウンコンバートするように構成された、該カバーに関連する発光材料を含むか、あるいは有している。
【００３２】
１つの実施形態において、ＬＥＤ電球に関連する熱拡散器および／あるいはヒートシンクは、本願に記載される通り、少なくとも１つのＬＥＤおよび熱伝導性のカバーに熱的導通の状態に配置されている。１つの実施形態において、ＬＥＤ電球の熱伝導性のカバーは、本願に記載される通り、少なくとも１つの開口部を備え、任意で少なくとも１つの１つのバッフルを含む。
【００３３】
１つの実施形態において、熱伝導性のカバーの実質的に全体は、最小約８０％の可視透過率スペクトルと、少なくとも２５Ｗ／（ｍ・°Ｋ）の熱伝導率とを有する材料を備える。他の実施形態において、カバーは、異なる材料を備える。一例として、カバーは、最小約８０％の可視透過率スペクトルと、少なくとも約２５Ｗ／（ｍ・°Ｋ）の熱伝導率とを有する材料を備える第１カバー部と、約８０％未満の可視透過率スペクトルと、２５Ｗ／（ｍ・°Ｋ）より大きな熱伝導率とを有する第２の部分とを含む。第１および第２の部分は、その間の伝導性熱伝達を促進するように構成されたインターフェースに沿って連結されてもよい。
【００３４】
ある実施形態において、ＬＥＤ電球の製造は、平面状の基板（例えば回路基板）に適した技術を用い、そのような基板をその中の少なくとも１つの屈曲を用いて成形し、少なくとも１つのＬＥＤのための実質的に堅固で直立した支持構造を形成して製造されたＬＥＤライトエンジンを用いることによって、簡易化されてもよい。ＬＥＤライトエンジンは、平面状の基板から形成され、１つあるいは複数のＬＥＤのための機械的支持、電気接続および熱伝導を提供してもよい。１つの実施形態において、基板は成形され、複数のＬＥＤを支持するように構成された非同一平面に存在する複数のＬＥＤ支持面を形成する。基板の成形は、少なくとも１つのＬＥＤを基板に取り付ける前に行われても、取り付けた後に行われてもよい。１つの実施形態において、実質的に堅固で「直立した」支持構造は、基板取付層あるいは取付部分の下方に、好ましくはライトエンジンの内部に設けられた間隙を画定する。このような間隙は、１つの実施形態に係るライトエンジンの直立性と特徴が一致しており、この点が従来のＬＥＤパッケージと区別される。従来のＬＥＤパッケージは、リードフレームの少なくとも一部分を囲繞する成形されたポリマー体を含み、リードフレームの接触部分は対象面に取り付けを行うために下方に屈曲されてもよい。１つの実施において、本願に開示されるＬＥＤライトエンジンは、基板の伝導性の金属部分の少なくとも一部を包囲するポリマー体構造を有しておらず、この点が従来のＬＥＤパッケージと更に区別される点である。
【００３５】
１つの実施形態において、実質的に平面状の基板は、パターニングされてＬＥＤのための少なくとも１つの電気配線（および好ましくは複数の電気配線）と、関連する１つの要素（複数の要素）とを画定してもよい。ＬＥＤおよび様々な回路要素（例えばＬＥＤ駆動制御要素および／あるいはＬＥＤ制御回路要素）は、基板に取付けられてもよいし、基板内に画定されてもよいし、あるいは基板上に画定されてもよい。ＬＥＤおよび／あるいは回路要素は、１つの基板の片側および／あるいは両側に設けられてもよい。基板はその中に少なくとも１つの屈曲を画定するように成形され、実質的に堅固で直立した支持構造を形成してもよい。このような支持構造は、所望の位置を保持するために、付加的な堅固な支持を用いる必要がない、自立式のものであることが好ましい。
【００３６】
平面状の基板に適した技術を用いることの１つの利点は、複数の基板が同時に製造され、その後複数の部分に切断され、複数のＬＥＤライトエンジンを形成可能であるという点である。例えば、複数のＬＥＤのための電気配線および電気回路要素は、基板の少なくとも１つの面にパターニングされてもよい。複数のＬＥＤは、基板内あるいは基板上に取り付けられてもよい。その後、基板は、複数の部分に切断され、各部分は１つあるいは複数の成形工程を経て、その中に少なくとも１つの屈曲を画定し、実質的に堅固で直立した支持構造を具体化したＬＥＤライトエンジンを形成してもよい。ＬＥＤライトエンジンは、開いた形態あるいは閉じた形態も含む、様々な形状のいずれの形状に形成されてもよい。
【００３７】
１つの実施形態において、基板は、メタルコアのプリント回路基板（ＰＣＢ）を備えている。１つの実施形態において、基板は、型打ちされた金属層および少なくとも１つの電気絶縁層を含んでいる。１つの実施形態において、基板は、少なくとも１つの熱導管部を備え、少なくとも１つのＬＥＤが、熱導管部と熱的導通の状態で取り付けられるように配置されてもよい。１つの実施形態において、基板は、異なる厚さの部分を備えている。例えば、第１のゲージを有する金属が熱電配線の形成に用いられてもよく、第２のゲージ（例えばより厚い）を有する（例えばＬＥＤおよび／あるいはＬＥＤに関連する回路要素を支持するのに適切な）金属が熱導管部の形成に用いられてもよい。１つの実施形態において、基板は異なる金属から製造された部分、例えば電気配線の形成に用いられる銅の部分、熱導管あるいはヒートシンクの形成に用いられるアルミニウムの部分など、を備える。１つの実施形態において、基板の熱導管部分は、ＬＥＤ電球の基部あるいはハウジングを貫いて延出あるいは突出するように配置されている。１つの実施形態において、熱導管部は、複数のフィンを有するヒートシンクを備える。１つの実施形態において、ＬＥＤライトエンジンの熱導管部は、ＬＥＤ電球の外部に設けられた、少なくとも１つの表面を有する補助的なヒートシンクと熱伝導連結の状態に配置されていてもよい。ＬＥＤライトエンジンの熱導管部は、電気的に活性であってもよいし、あるいは少なくとも１つのＬＥＤおよび／あるいはＬＥＤに関連するその他の回路要素から電気的に絶縁されていてもよい。
【００３８】
ＬＥＤライトエンジンの基端は、電気的レセプタクル（例えばソケットあるいは固定器具）と結合あるいは係合して電流を受け、ライトエンジンに取り付けられた少なくとも１つのＬＥＤに電流を供給するように構成された電気接点を含んでいてもよい。１つの実施形態において、基板は、レセプタクル（例えばソケットあるいは固定器具）の少なくとも１つの電気接点と係合し、ＬＥＤライトエンジンに電流を供給するように構成された、少なくとも１つのエッジコネクタを備える。エッジコネクタに関する様々な詳細は、２０１０年３月２４に出願された、「ＩＮＴＥＲＦＡＣＥ  ＡＮＤ  ＦＡＢＲＩＣＡＴＩＯＮ  ＭＥＴＨＯＤ  ＦＯＲ  ＬＩＧＨＴＩＮＧ  ＡＮＤ  ＯＴＨＥＲ  ＥＬＥＣＴＲＩＣＡＬ  ＤＥＶＩＣＥＳ」と題された米国特許出願第１２／７３０，８０２号に開示されており、このような出願の全内容は、あらゆる目的のために、参照によって本願に援用されている。１つあるいは複数のエッジコネクタは、ＬＥＤ電球の支持柱あるいはハウジングに画定された１つあるいは複数の開口部（例えば溝）を貫いて延出していてもよい。このような支持柱あるいはハウジングは電気的に絶縁されていてもよい。
【００３９】
１つの実施形態において、ＬＥＤライトエンジンは、ＬＥＤ電球の基部の長さの一部のみを占めていてもよい。このようなＬＥＤライトエンジンは、１つあるいは複数の下層の支持要素および／あるいは取付要素に取り付けられるように構成されていてもよい。他の実施形態において、ＬＥＤライトエンジンは、ＬＥＤ電球の基部の実質的に全長を占めていてもよい。ＬＥＤライトエンジンは、ＬＥＤ電球の基部あるいはハウジングあるいは保護部に挿入されていてもよい。このような基部あるいはハウジングは、ＬＥＤライトエンジンの少なくとも１つの熱導管部と熱的導通の状態に設けられた、外部のヒートシンクを含んでいてもよい。
【００４０】
本発明に係る様々な利点および特徴が、図面を参照しながら説明される。
図１は、本発明の１つの実施形態に係るＬＥＤ電球１０を図示している。電球１０は、基端１１と、カバー３０によって画定された内部容積３０内に配置された複数のＬＥＤ４５〜４７と、基端１１とカバー３０との間に延在する支持柱２０とを含む。基端１１に沿って設けられているのは、端部接点１５、およびネジ込み式のエジソン型ソケットに結合するように構成された側部接点１６である。ＬＥＤ４５〜４７はそれぞれ、複数のＬＥＤ取付面４１〜４３上に配置される。このようなＬＥＤ取付面４１〜４３は、支持柱２０と共に形成されてもよく、あるいは支持柱２０に結合するように構成された既製部分４０上に配置されてもよい。支持柱２０は、伝導性の材料の内側部分で形成され、この材料は、その露出部分を覆うように電気絶縁材料２９の層あるいはコーティングを有し、ユーザが支持柱２０に接触することによって起こる電気ショックを防ぐように製造されていてもよい。このような実施形態において、側部接点１６および端部接点１５（環状絶縁要素（図示せず）によって隔離されていてもよい）の一方あるいは双方が、支持柱２０と一体形成されていてもよい。支持柱２０には、外面に沿って設けられた複数の第１ポートあるいは開口部２６が当該支持柱２０内に画定されており、またカバー３０内には複数の第２ポートあるいは開口部２８が設けられている。１つあるいは複数の流路あるいは管（図示せず）が支持柱２０内、あるいは支持柱２０の外面に沿って設けられ、複数のポートあるいは開口部２６，２８の間の空気の動きを可能にし、内部容積３１が周囲環境と流体連結の状態になるようにしてもよい。このような配置によって、内部容積３１から熱が放出され、ＬＥＤ電球１０を冷却するためのヒートシンクの必要性が低減される。
【００４１】
図２は、図１に示された電球１０に類似したＬＥＤ電球の少なくとも一部を図示している。この一部にはカバーが省略されており、（ａ）基端１１Ａと端部接点１５Ａと側部接点１６Ａとを含む既製のベース接触部と、（ｂ）ＬＥＤ４５Ａ〜４７Ａがそれぞれ取り付けられるＬＥＤ取付面を含む既製部分４０Ａとの間に延在する絶縁支持柱２０Ａを含んでいる。ベース接触部および既製部分４０Ａの各々は、支持柱２０Ａに、機械的結合、接着剤および／あるいは同様な方法を含む、いかなる適切な接合方法で取り付けられてもよい。
【００４２】
図３は、図１に示された実施形態に類似した、別のＬＥＤ電球１１０を図示しており、支持柱１２０には流体循環要素５０が加えられ、カバー１３０には複数のポートあるいは開口部１３２，１３３と、関連するバッフル１３３，１３４とが加えられている。この電球１１０は、基端１１１と、カバー１３０によって画定された内部容積１３１内に配置された複数のＬＥＤ１４５〜１４７と、基端１１１とカバー１３０との間に延在する支持柱１２０とを含む。電気接点１１５，１１６は、基端１１１に近接して配置されている。支持柱１２０は、外面に沿って設けられた電気絶縁材料層１２９を含んでいる。支持柱１２０には、外面に沿って設けられた複数の第１ポートあるいは開口部１２６が画定されており、またカバー１３０内には複数の第２ポートあるいは開口部１２８が設けられている。このようなポートあるいは開口部１２６〜１２８間の空気の動きは、流体循環要素１５０によって補助されてもよく、この流体循環要素１５０は、ファンあるいは送風機として具体化されてもよい。カバー１３０内に画定されたポートあるいは開口部１３２，１３３は、そこに近接した、好ましくはＬＥＤ１４１〜１４３が非遮断状態で見えてしまわないような位置に、バッフル１３４，１３５を有する。カバー１３０およびバッフル１３４，１３５の各々は、可視領域内の少なくとも１つの波長を少なくとも部分的に透過することが好ましく、バッフル１３４，１３５およびカバー１３０は、任意で実質的に同一の材料で形成されていてもよい。
【００４３】
自然対流は、熱を上昇させる現象である。しかしながら、ＬＥＤ電球１１０は上向きあるいは下向きのどちらの向きに配置されてもよく、ＬＥＤ電球１１０内での（例えば流体循環要素１５０によって引き起されるような）強制対流が、自然対流の向きとは反対の方向に起こり得るということが可能である。このような反作用効果を避けるため、１つの実施形態において、ＬＥＤ電球は、センサの取付方向を検出するように構成されたセンサを含んでいてもよく、流体循環要素１５０の循環方向がこのようなセンサの出力に対応して制御される。
【００４４】
図４Ａ〜４Ｂは、支持柱２２０内にヒートパイプ５５を含み、好ましくは取外し可能に外側に設けられた流体循環（例えばファン）部２６０が支持柱２２０に係合し、ＬＥＤ電球２１０の少なくとも一部の強制対流冷却を促進する、他の実施形態に係るＬＥＤ電球１０を図示している。この流体循環部２６０は、開口部２６１を画定し、この流体循環部２６０を支持柱２２０の外側の少なくとも一部に係合可能にしている。
【００４５】
電球２１０は、基端２１１と、カバー２３０によって画定された内部容積２３１内に配置された複数のＬＥＤ２４５〜２４７と、基端２１１とカバー２３０との間に延在する支持柱２２０とを含む。ＬＥＤ２４５〜２４７は、支持面２４１〜２４３上に配置され、熱を支持柱２２０内あるいは支持柱２２０に沿って熱拡散器２４９から基端２１１に向かう方向に運ぶように設けられたヒートパイプ２５５と接触して配置された内部熱拡散器２４９と、熱的導通の状態になっている。電気接点２１５，２１６は、基端２１１付近に配置された外部の電気レセプタクルと結合するために設けられている。更なる電気接点２５６，２５７が支持柱２２０に沿って設けられており、これら電気接点２５６，２５７は、流体循環部２６０の対応する接点２６６，２６７と結合し、流体循環要素２６５Ａ〜２６５Ｂへと電力を供給する。
【００４６】
少なくとも１つのセンサ２５９が、１つあるいは複数の状態（例えば温度、空気の流れ、圧力差、電流の流れ等）を検出するように設けられてもよく、流体循環要素２６５Ａ〜２６５Ｂの動作の開始あるいは調整、ＬＥＤ２４５〜２４７の動作の制限、流体循環要素２６５Ａ〜２６５Ｂの（あるいは流体循環部２６０全体の）清掃あるいは交換等が必要であることを示してもよい。１つの実施形態において、流体循環部２６０は、ＬＥＤ電球の少なくとも一部と通信するように構成された認証要素を含む。このような認証要素は、高周波認証タグ、マイクロチップ、ＥＥＰＲＯＭ、あるいはＬＥＤ電球の対応する呼出し要素あるいは読取り要素によって受信される信号を出力するのに適した、その他の情報含有媒体を含んでもよい。こうすることによって、ＬＥＤ電球のメーカーは、保証期間を最小限にするためなどに、当該ＬＥＤ電球には該メーカーが承認した流体循環要素のみが使用可能であるということを確実にしてもよい。
【００４７】
流体循環部２６０の代わりとして、複数のフィン２７１を含むヒートシンク２７０を支持柱２２０の外側部分に嵌合させ、ＬＥＤ電球２１０の受動的冷却を促進してもよい。
図５を参照すると、他の実施形態に係るＬＥＤ電球は、電球３１０の支持柱３２０内において一体化された流体循環要素３５０とヒートパイプ３５５とを含む。この電球３１０は、基端３１１と、カバー３３０によって画定された内部容積３３１内に配置された複数のＬＥＤ３４５〜３４７と、基端３１１とカバー３３０との間に延在する支持柱３２０とを含む。電気接点３１５，３１６は、基端３１１に近接して設けられている。ＬＥＤ３４５〜３４７は、支持面３４１〜３４３上に配置され、熱を支持柱３２０内あるいは支持柱３２０に沿って熱拡散器３４９から基端３１１に向かう方向に運ぶように設けられたヒートパイプ３５５と接触して配置された内部熱拡散器３４９と熱的導通の状態になっている。支持柱３２０には、ヒートパイプ３５５の一端において空気の動きを可能にするべく、開口部３２０Ａが画定されていてもよい。少なくとも１つのセンサ３５９が１つあるいは複数の状態（例えば温度、空気の流れ、圧力差、電流の流れ等）を検出するために設けられ、流体循環要素３５０の動作の開始あるいは調整、ＬＥＤ３４５〜３４７の動作の制限、流体循環要素３５０の清掃あるいは交換等が必要であることを示してもよい。
【００４８】
図６は、内部容積４３１を包囲する複合材料あるいは多部品の外側を含む、他の実施形態に係るＬＥＤ電球４１０を図示している。基端４１１に近接して設けられたのは、電気接点４１５〜４１６である。カバー上部４３０と基端との間に配置されているのは、複数の冷却フィン４７１を含む下部４７０である。１つの実施形態において、この下部４７０は、高い透過性と高い熱伝導性（例えば、少なくとも約８０％の可視透過率スペクトル、および約２５°Ｃにおける少なくとも２５Ｗ／（ｍ・°Ｋ）の室温熱伝導性率）を有する材料を備え、この下部４７０には複数のフィン４７１が形成され、カバー上部４３０にはフィンが設けられていない。カバー上部４３０は、下部４７０と同一の材料で、あるいは異なる材料で形成されていてもよい。カバー上部４３０および下部４７０は、異なる厚さ、表面の仕上げ、あるいはパターンを有してもよく、および／あるいは電球４１０から様々な方向（例えば境界４６９の上方あるいは下方）へと放射される光線に異なる光学的特性を持たせるべく、異なる材料を備えていてもよい。１つの実施形態において、下部４７０は、実質的に非透過性の材料（例えば金属）を備え、上部は、上述のような高い透過性と高い熱伝導率とを有する材料を備えており、また、境界４６９は、（例えば、伝導性のペーストあるいはその他の伝導性促進物質を用いて）上下間における熱伝導を促進するように構成されている。
【００４９】
１つあるいは複数の光に影響を与える材料あるいは構造４３４が、カバー上部４３０と関連して設けられても（例えばカバー上部４３０内に、あるいはカバー上部４３０上に形成されても）、あるいはカバー上部と、装置に設けられた放射体（境界４６９に近接して設けられていてもよい）との間に配置されてもよい。このような光に影響を与える材料あるいは構造４３４は、１つあるいは複数の拡散要素、波長変換要素、集光要素、あるいは光成形要素を含んでいてもよいが、これらに限定されることはない。
【００５０】
図７は、他の実施形態に係るＬＥＤ電球５１０を図示しており、ＬＥＤ電球５１０は、複数のＬＥＤ５４５のための熱拡散器５４９を有する基板を含み、この基板は熱を周囲環境へと散逸するべく、下部５７０とカバー上部５３０の一方あるいは双方と（接触面５４８にて）熱的導通の状態になっている、その他の実施形態のＬＥＤ電球５１０を示している。外壁（例えばカバー上部５７０および／あるいは下部５３０）によって支持された基板にＬＥＤを載置することによって、内部の支持柱の必要性を排除してもよい。基端５１１付近に設けられているのは電気接点５１５〜５１６である。個々のワイヤ、柔軟性のあるリボンコネクタ、回路基板部等を使用することを含むいかなる適切な手段を用いて、導体（図示せず）を接点５１５〜５１６からＬＥＤ５４５を支持している基板に延在させてもよい。１つの実施形態において、カバー上部５３０およびカバー下部５７０は、１つの連続した要素を構成している。他の実施形態において、カバー上部５３０は、高い透過性と高い熱伝導性とを有する材料を備え、下部は、異なる熱特性および／あるいは光学的透過率特性を有する。カバー上部５３０および下部５７０は、異なる厚さ、表面の仕上げあるいはパターンを有していてもよく、および／あるいは様々な方向（例えば熱拡散器５４９に沿った境界の上方あるいは下方）へと放射される光線に異なる光学的特性を持たせるべく、異なる材料を備えていてもよい。１つの実施形態において、下部４７０は、実質的に非透過性の材料（例えば金属）を備え、上部は、上述のような高い透過性と高い熱伝導率とを有する材料を備えている。
【００５１】
図８は、他の実施形態に係るＬＥＤ電球６１０を図示しており、ＬＥＤ電球６１０は、カバー６３０を含み、カバー６３０は、高い透過性と高い熱伝導率とを有する材料を備え、複数のフィン６３７を画定している。このようなフィン６３７は、基端６１１付近に配置された接点６１６，６１５に近接して設けられた下部６３３まで延在していても、していなくてもよい。これらフィン６３７は、例えば焼結（粉末の前駆材料を加熱すること）によって、および／あるいは機械加工によって形成されてもよい。１つの実施形態において、フィン６３７は、略長軸方向に、側部接点６１６のネジ山に略垂直に配列されている。他の実施形態において、フィン６３７は、略横方向、斜め方向、あるいはいくつかの方向に配列されていてもよい。フィンの数、方向、高さ、幅、間隔、およびフィンの表面の仕上げは、熱特性および光学的な特性の一方あるいは双方を最適化するべく選択されてもよい。
【００５２】
図９は、他の実施形態に係るＬＥＤ電球７１０を図示しており、ＬＥＤ電球７１０は、複数のポートあるいは開口部７３２，７３３と、これらポートあるいは開口部７３２，７３３に近接して配置されたバッフル７３４，７３５とを含む、カバー７３０を含む。ＬＥＤ電球７１０は、基端７１１付近に配置された電気接点７１５，７１６を含む。支持要素７２０が、支持要素７２０の複数の表面７４１〜７４３上に配置されたＬＥＤ７４５〜７４７と共に、カバー７３０によって画定された内部容積７３１内に設けられている。このようなバッフル７３４，７３５は、ＬＥＤ７４５〜７４７が非遮断状態で見えてしまうことを防ぐべく配置されることが好ましい。このようなバッフル７３４，７３５は、カバー７３０と一体的に形成されてもよいし、あるいは別々に形成され、その製造過程に従ってカバー７３０に取り付けられてもよい。１つあるいは複数のスペーサ要素（図示せず）が、バッフル７３４，７３５とカバー７３０との間に設けられ、その間隔が確実に保たれるようにしてもよい。
【００５３】
図１０Ａは、ＬＥＤ電球８１０とＬＥＤ電球８１０を製造する際に用いられるのに適したＬＥＤライトエンジン８８０とを図示し、図１０Ｂは、製造中のＬＥＤライトエンジン８８０を図示している。図１０Ｂを参照すると、ＬＥＤライトエンジン８８０を製造するのに用いられる基板８９５は、少なくとも１つの導電層と、少なくとも１つの電気絶縁層とを含んでいてもよく、例えばメタルコアのプリント回路基板、あるいは１つあるいは複数の絶縁層が設けられた均一あるいは非均一の厚さの金属の層によって実現されてもよい。基板８９５のいくつかの部分８８１〜８８４は、屈曲区域８７８Ａ〜８７８Ｃの間に延在している。この基板の屈曲あるいはその他の成形を行った上で、基板部分８８１〜８８４は、非同一平面上の形態に設けられ、図１０Ａに図示されるような、実質的に堅固で直立した支持構造を作り出してもよい。複数のＬＥＤ８４５の電気配線（図示せず）および電気回路要素８６９は、基板８９５の少なくとも１つの表面上に形成されていてもよく、また、ＬＥＤ８４５および回路要素８６９は、この基板８９５上にあるいはその上方に取り付けあるいは配置されていてもよい。１つの実施形態において、全てのパターニングおよび取り付けの工程は、基板の屈曲の前に完了させるのが好ましいが、基板８９５の成形（例えば屈曲）の工程、および１つあるいは複数の要素の基板上の取り付けの工程は、所望の順番で行われてもよい。
【００５４】
図１０Ａは、ＬＥＤ電球８１０内に設けられたＬＥＤライトエンジン８８０を示している。ＬＥＤライトエンジン８８０の基部８８１は、電球８１０の基部および接点８１５，８１６に近接して設けられている。ＬＥＤライトエンジン８８０の基端８８１は、物理的な取り付け、電気的接続およびあるいは熱伝導のために用いられてもよい。ライトエンジンの直立部分８８２は、ＬＥＤ電球８１０の長軸に沿って設けられており、傾斜部分８８３およびＬＥＤ８４５が取付けられた横軸状の片持ち部分８８４を支持している。いくつかの屈曲部分８７９Ａ〜８７９Ｃは、前述の部分の間に設けられており、図１０Ｂに図示されている屈曲区域８７８Ａ〜８７８Ｃに対応している。ＬＥＤライトエンジン８８０は、ＬＥＤ電球８１０のカバー８３０によって画定された内部容積８３１内に配置されている。本願に開示されている様々なＬＥＤ電球カバーはいずれも、電球８８０と関連して用いられてもよい。
【００５５】
図１１Ａは、外部のレセプタクル（例えばソケットあるいは固定器具）の電気接点と結合し、本願に開示の通りＬＥＤ電球に電流を供給するべく配置された第１、第２エッジコネクタ９１５，９１６を含む基板９８０の一部を図示している。基板９８０は、その上にいくつかの配線を有するプリント回路基板（図示せず）を含んでいることが好ましいが、狭端部９８２Ａを含んでいてもよく、エジソン式のねじ込みソケットと結合するように構成されたＬＥＤ電球の狭端部に、狭端部９８２Ａが挿入可能になっていてもよい。端部接点９１５は、基板９８２の下端９１１に設けられ、側部接点９１６は、突出部分および溝を画定する波型の端部を備え、この端部は、エジソン式のねじ込みソケットと結合されるように構成されたＬＥＤ電球のネジ形状雄型ベースのネジ山の横断面（例えば図１１Ｂに図示された電球９１０のネジ面９２７）に沿うように設けられている。図１１Ｂに示されるように、基板９８０は、外部ヒートシンク９７１と、基板９８０の端部接点９１５を受け入れるための第１開口部（例えばスロット）９２５と、基板９８０の側部接点９１６を受け入れるための第２開口部（例えばスロット）９２６とを含む、ＬＥＤ電球９１０のハウジング９２０内に取り付けられるように配置されてもよい。ハウジング９２０内の各開口部を貫いて延在する接点９１５，９１６を用いて、ライトエンジンと電気レセプタクルとの間に、電気接点が直接形成されてもよい。本願に開示の通り、基板９８０および電球ハウジング９２０の様々な特徴はそれぞれ、ＬＥＤライトエンジンの基板および関連するＬＥＤ電球と一体化されていてもよい。
【００５６】
図１２Ａ〜１２Ｂは、ＬＥＤ電球と共に用いられるべく設けられたその他のライトエンジン１０８０を図示している。平面状の基板を加工するために開発された様々な製造工程が、実質的に平面状の基板１０９５に適用されてもよい。単一キャリアが、同時にパターニングおよび加工された後、型打ちあるいはその他の切断工程がなされて、複数の独立した基板１０９５が作製されてもよい。様々な電気配線１０９１が基板１０９５の１つあるいは複数の表面内あるいは表面上に形成され、ＬＥＤ１０４１〜１０４５および関連する回路要素、制御要素、光学センサ１０６９Ａ〜１０６９Ｃに電気接続をもたらしてもよい。図１２Ａに示された基板の特定な形状、パネルの形態、放射体および制御コンポーネントの数および配置、放射体の配線のサイズおよび配置は説明のためのみであり、本開示を精査すれば、これらには多数の変形例やその他の特徴が可能であるということが、当業者には分かるであろう。電気配線および制御方式に関して、１つの実施形態においては、放射体のグループは個別に制御されてもよい。その他の実施形態においては、各ＬＥＤは独立して制御されてもよい。
【００５７】
基板１０９５の様々なパネルあるいは部分１０８１〜１０８７は、屈曲区域１０７８Ａ〜１０７８Ｅの間に延在している。切込み１０９９が隣接するパネル１０８２，１０８７および１０８３，１０８６の間に画定されていてもよい。関連する取付要素（例えば穴あるいは突出部）を有する熱導管部１０８７は、ＬＥＤ１０４５と熱伝導の状態で配置されている。複数の熱導管部分が備えられていてもよい。１つの実施形態において、１つあるいは複数のサイドパネル１０８２〜１０８４にはＬＥＤがなく、追加的な熱導管パネルとして機能してもよい。ＬＥＤ１０４１〜１０８５の下に横たわる導管部分１０８７および任意のパネル１０８５、および回路要素１０６９Ａ〜１０６９Ｃの下に横たわるパネル１０８６は、その他のパネル１０８１〜１０８５の１つあるいは複数が形成される導電材料よりも、厚みのある導電材料（例えば金属ケージ）を備え、改善された熱伝導を促進し、このようなパネル１０８５〜１０８７を介して選択的な熱の逃げ道を提供してもよい。この装置の１つあるいは複数のパネル１０８１〜１０８７、特に増加された厚みが特徴とされ得る熱導管１０８７およびパネル１０８５，１０８６のいずれかを含むパネル１０８１〜１０８７は、１つあるいは複数のフィンを含んでいてもよい。様々な平面加工工程（例えば絶縁材料の蒸着、電気配線の形成、回路要素１０６９Ａ〜１０６９Ｃの取り付けあるいは追加、および可能であればＬＥＤ１０４１〜１０４５の取り付け（可能であればという理由は、このような取り付けは、切断工程および／あるいは成形工程の後に行われてもよいからである））に従い、基板１０９７は、必要に応じて（例えば切断部分１０９９を形成するため、および／あるいは基板をキャリアの隣接する部分から分離させるため）切断され、ＬＥＤライトエンジン１０８０を形成すべく成形されてもよい。基板１０９１の屈曲あるいはその他の成形を行った後、基板部分１０８１〜１０８７は、非同一平面の形態に配置され、図１２Ｂに図示されるような、実質的に堅固で直立した支持構造１０８０を作り出してもよい。１つの実施形態において、本願で開示されるようなＬＥＤライトエンジンは、複数の電気コネクタを備えている。複数の接点を含む電気エッジコネクタ部分１０９０は、１枚のＬＥＤ支持パネル１０８１の延長として形成されてもよい。所望の場合、基板１０９５の一部分は、図１１Ａに示されるように、エッジコネクタ９１１，９１５を含むべく配置されてもよい。
【００５８】
引き続き図１２Ａ〜１２Ｂを参照すると、電気制御コンポーネント１０６９Ａ〜１０６９Ｃを含む、１つあるいは複数のパネル（例えばパネル１０８６）は、折り畳まれ、残りのパネルによって囲まれた構造の内側部分に配置されてもよい。熱導管パネル１０８７の端部１０８７Ａは、所望であれば、取付を容易にすべく、更に屈曲されてもよい。１つの実施形態において、熱導管パネル１０８７の端部１０８７Ａは、周囲環境にさらされるように配置された、１つあるいは複数のＬＥＤ電球ヒートシンク要素（図示せず）と接触状態に取り付けるために配置されてもよい。１つの実施形態において、ヒートシンクパネル１０８７（あるいは複数のヒートシンクパネル）の一部分は、ＬＥＤ電球のハウジングから突出して、周囲環境にさらされていてもよい。
【００５９】
本願に開示されたＬＥＤライトエンジンは、本願に開示されたＬＥＤ電球コンポーネントと共に、多様に用いられてもよく、ＬＥＤ電球内に多様に配置され、取り付けられてもよい。
【００６０】
図１３Ａは、図１２Ａ〜１２Ｂに示されたＬＥＤライトエンジン１０８０と実質的に類似し、電球１０１０の基部１０２０の長さのほんの一部を占める、ＬＥＤライトエンジン１０８０を含む、他の実施形態に係るＬＥＤ電球１０１０を図示している。この基部は、外側からアクセス可能な、関連するヒートシンク１０７０を有していてもよい。電球１０１０は、基端１０１１付近に設けられた電気接点１０１５，１０１６を含んでいる。カバー１０３０は、ＬＥＤライトエンジン１０８０のＬＥＤ１０４１〜１０４５が含まれた内部容積１０３１を画定する。ＬＥＤライトエンジンの１枚のパネル１０８１から延在するエッジコネクタ部１０９０は、基部要素１０４８の関連する構造（例えばソケット）と結合してもよく、機械的および熱的接続（例えば任意でネジ、圧縮止め、あるいはその他のコネクタを含む）が更に設けられ、取り付けおよび熱伝導を容易にしてもよい。所望の場合、１つあるいは複数の電気回路要素（例えば制御回路）が、このような回路をＬＥＤライトエンジン１０８０に設けることに加えて、あるいは設ける代わりに、基部要素１０４８に設けられてもよい。１つの実施形態において、電球エンジン１０８０は、既製の基部要素１０４８と（例えばその中へと挿入することによって）結合され、基部要素１０４８への機械的、電気的、および熱的接続を形成し、カバー１０３１が固定されて、ＬＥＤ電球１０１０が作製される。
【００６１】
図１４は、他の実施形態に係るＬＥＤ電球１１１０を図示しており、ＬＥＤ電球１１１０は、電球１１１０の基部の全長を実質的に占めているＬＥＤライトエンジン１１８０を含む。ＬＥＤ電球１１１０は、複数のＬＥＤ１１４１，１１４２，１１４５が含まれている内部容積を画定するカバー部１１３０を含んでいる。ＬＥＤライトエンジン１１８０は、ヒートシンク１１７０を含む既製ボディ１１２０に挿入されてもよく、機械的、熱的、および電気的接続を成立させる、あるいは即時に提供する。１つの実施形態において、ＬＥＤライトエンジン１１８０は、既製ボディ１０２０に設けられた対応する開口部を貫いて挿入されるべく配置されたエッジコネクタ１１１５，１１１６を含んでいる。１つの実施形態において、ＬＥＤライトエンジン１１８０と、既製ボディ１１２０に関連するヒートシンク１０７０との間の熱的な接続は、挿入可能な接続によって形成される（あるいは、このような接続は、締付けあるいはネジ締め等によって補助されてもよい）。１つの実施形態において、圧入あるいは保持可能で挿入可能な機械的接続が、ＬＥＤライトエンジンと、既製ボディ構造１１２０との間に設けられている。特定の実施形態において、ＬＥＤライトエンジンと既製ボディ部１１２０との間の前述の電気的、機械的および熱的な接続の少なくとも２つあるいは３つ全ては、ＬＥＤライトエンジン１１８０をボディ部１１２０に挿入するのと同時に、あるいは挿入が行われてから形成される。
【００６２】
本発明の１つの実施形態は、本願に開示されたような少なくとも１つの半導体照明装置（例えば、ＬＥＤ電球）を有する照明固定具を含む。１つの実施形態において、照明固定器具は、複数の半導体照明装置を含む。１つの実施形態において、照明固定器具は、天井、壁、あるいはその他の表面に埋込み式の取付を行うために設けられている。その他の実施形態において、照明固定器具は、レールへの取付を行うために設けられている。半導体照明装置は、構造物あるいは乗り物に永久的に取り付けられてもよく、あるいは懐中電灯などのような、手で持ち運びが可能な装置を構成してもよい。
【００６３】
１つの実施形態において、エンクロージャは、囲まれた空間と、本願で開示されているような少なくとも１つの半導体照明装置あるいは電球取付具とを備えており、電力線に電流を供給すると、少なくとも１つの照明装置は、囲まれた空間の少なくとも一部分を照らす。１つの実施形態では、方法は、本願に開示されているような電気配線を含むＬＥＤ電球を用い、少なくとも１つのＬＥＤを点灯させるために電流を複数の電気配線に供給することを含んでいる。
【００６４】
他の実施形態において、構造体は、表面あるいは物体および、本願に開示されているような少なくとも１つの半導体照明装置（例えばＬＥＤ電球）を備え、電力線に電流を供給すると、半導体照明装置は、表面あるいは物体の少なくとも一部を照らす。他の実施形態において、本願に開示されているような半導体照明装置は、スイミングプール、部屋、倉庫、計測器、道路、乗り物、道路標識、広告掲示板、船舶、玩具、電子装置、家庭用あるいは工業用電気機器、ボート、航空機、スタジアム、樹木、窓、庭、電柱のうちの少なくとも１つを備える領域を照らすのに使用されてもよい。
【００６５】
本発明に係る様々な実施形態は、例えば、１つあるいは複数の手動組立の工程を排除することによって製造コストを低減する、熱放散能力を高める、ヒートシンクの体積を減らして、（例えば、ヒートシンクおよび／あるいはその他のコンポーネントによって放射が遮断されるのを防ぐことによって）ＬＥＤ電球の基部付近での放射を含む、光の放射角度の範囲を向上させる、およびＬＥＤ接合部温度を低減してＬＥＤの寿命を延ばす等の、１つあるいは複数の有益な技術効果を提供してもよい。
【００６６】
本発明の特定の局面、特徴および例示的な実施形態を参照にして、本発明が本願において説明されてきたが、本発明の効用は限定されず、むしろ本願の開示に基づくその他の多数の変形例、変更および代替的な実施形態にまで及び、これらを包含するということは、本発明の分野における当業者には明らかであり、理解されるべきである。従って、以下に請求項に挙げられる本発明は、本発明の精神と範囲内において、このような変形例、変更および代替的な実施形態の全てを含むものとして、広義に解釈され、とらえられる。
【図１】
2013533581.tif 000003
【図２】
2013533581.tif 000004
【図３】
2013533581.tif 000005
【図４Ａ】
2013533581.tif 000006
【図４Ｂ】
2013533581.tif 000007
【図４Ｃ】
2013533581.tif 000008
【図５】
2013533581.tif 000009
【図６】
2013533581.tif 000010
【図７】
2013533581.tif 000011
【図８】
2013533581.tif 000012
【図９】
2013533581.tif 000013
【図１０Ａ】
2013533581.tif 000014
【図１０Ｂ】
2013533581.tif 000015
【図１１Ａ】
2013533581.tif 000016
【図１１Ｂ】
2013533581.tif 000017
【図１２Ａ】
2013533581.tif 000018
【図１２Ｂ】
2013533581.tif 000019
【図１３】
2013533581.tif 000020
【図１４】
2013533581.tif 000021
【国際調査報告】
2013533581.tif 000022
2013533581.tif 000023